(57)【要約】      （修正有）【課題】複数のエレベータバンクが存在する場合、効率的に共通停止階へ利用者を運ぶことができるエレベータシステムを提供する。【解決手段】エレベータシステムは、エレベータバンクの少なくともいずれか一つは、行先階の登録が可能な行先階登録装置２０と、行先階が共通停止階の場合に、登録が行われた行先階登録装置２０に対応するエレベータバンクである自バンクに含まれる乗りかごを利用する場合の自バンク評価値を算出する評価値計算部４０と、自バンク以外の他バンクに含まれる乗りかごを利用する場合の他バンク評価値を取得する評価値取得部と、自バンク評価値と他バンク評価値とに基づき、複数のエレベータバンクに含まれる乗りかごの中から割当乗りかごを選定可能な割当乗りかご選定部４４と、選定された割当乗りかごが含まれるエレベータバンクの案内情報を行先階の登録が行われたエレベータバンクの表示装置に表示させる表示制御部と、含む。【選択図】図５
2019142651.tif 000002
【特許請求の範囲】
【請求項１】
一部の共通停止階を除き異なる階床に停止可能な乗りかごを含む複数のエレベータバンクで構成されるエレベータシステムであって、
前記複数のエレベータバンクの少なくともいずれか一つは、
前記乗りかごを呼ぶとともに行先階の登録が可能な行先階登録装置と、
前記行先階登録装置で登録された前記行先階が前記共通停止階の場合に、前記共通停止階の登録が行われた前記行先階登録装置に対応する前記エレベータバンクである自バンクに含まれる前記乗りかごを利用する場合の利用適否を評価する自バンク評価値を算出する評価値計算部と、
前記共通停止階が登録された場合に、前記自バンク以外の前記エレベータバンクである他バンクに含まれる前記乗りかごを利用する場合の利用適否を評価する他バンク評価値を取得する評価値取得部と、
前記自バンク評価値と前記他バンク評価値とに基づき、前記複数のエレベータバンクに含まれる乗りかごの中から割当乗りかごを選定可能な割当乗りかご選定部と、
選定された前記割当乗りかごが含まれる前記エレベータバンクの案内情報を前記行先階の登録が行われた前記エレベータバンクの表示装置に表示させる表示制御部と、
を含むエレベータシステム。
【請求項２】
前記割当乗りかご選定部は、登録された前記行先階が前記共通停止階の場合、前記評価値取得部が所定期間内に取得した前記他バンク評価値と前記自バンク評価値とを用いて前記割当乗りかごを選定する、請求項１に記載のエレベータシステム。
【請求項３】
前記評価値計算部は、前記自バンクの前記乗りかごの運行状態に基づく第一評価値と、登録が行われた前記行先階登録装置と前記自バンクで利用する前記乗りかごが到着するかご乗り口までの距離に基づく第二評価値と、を算出し、
前記評価値取得部は、前記他バンクの前記乗りかごの運行状態に基づく前記第一評価値と、登録を行った行先階登録装置と前記他バンクで利用する前記乗りかごが到着するかご乗り口までの距離に基づく前記第二評価値と、取得する、請求項１または請求項２に記載のエレベータシステム。
【請求項４】
前記割当乗りかご選定部は、算出した前記自バンク評価値と取得した前記他バンク評価値とが同値の場合、前記エレベータバンク毎に設定された優先順値に従い前記割当乗りかごを選定する請求項１から請求項３のいずれか１項に記載のエレベータシステム。
【請求項５】
前記割当乗りかご選定部は、算出した前記自バンク評価値と取得した前記他バンク評価値とが同値の場合であって、前記第一評価値と前記第二評価値とが異なる場合、前記第一評価値と前記第二評価値に設定された優先順値に従い前記割当乗りかごを選定する請求項３に記載のエレベータシステム。
【請求項６】
一部の共通停止階を除き異なる階床に停止可能な乗りかごを含む複数のエレベータバンクで構成されるエレベータシステムの運用方法であって、
前記乗りかごを呼ぶとともに行先階の登録を行先階登録装置で行う行先階登録ステップと、
前記登録された前記行先階が前記共通停止階の場合に、前記共通停止階の登録が行われた前記行先階登録装置に対応する前記エレベータバンクである自バンクに含まれる前記乗りかごを利用する場合の利用適否を評価する自バンク評価値を算出する算出ステップと、
前記共通停止階が登録された場合に、前記自バンク以外の前記エレベータバンクである他バンクに含まれる前記乗りかごを利用する場合の利用適否を評価する他バンク評価値を取得する取得ステップと、
前記自バンク評価値と前記他バンク評価値とに基づき、前記複数のエレベータバンクに含まれる乗りかごの中から割当乗りかごを選定可能な割当乗りかご選定ステップと、
選定された前記割当乗りかごが含まれる前記エレベータバンクの案内情報を前記行先階の登録が行われた前記エレベータバンクの表示装置に表示させる表示ステップと、
を含むエレベータシステムの運用方法。
【発明の詳細な説明】
【技術分野】
【０００１】
本発明の実施形態は、エレベータシステムおよびエレベータシステムの運用方法に関する。
【背景技術】
【０００２】
従来、複数台のエレベータの運行を管理するエレベータシステムが知られている。このようなエレベータシステムを例えば、高層ビルに設置する場合、低層階用のエレベータ群、中層階用のエレベータ群、高層階用のエレベータ群等のように、利用階を分けて群管理を行う、いわゆる「エレベータバンク」を構成するエレベータシステムを構築する場合がある。このようなエレベータシステムでは、利用者が行先階登録部を用いて行先階の登録を行った場合、行先階に応じたエレベータバンクでそれぞれ乗りかごを割り当てる技術が提案されている。例えば、登録された行先階が低層階用のエレベータ群に含まれる場合、登録情報が低層階用のエレベータ群を制御する低層階用制御部に送信される。そして、低層階用制御部は、低層階用のエレベータ群に含まれる乗りかごの中から割り当てる乗りかごを選択する。また、登録された行先階が中層階用のエレベータ群に含まれる場合、登録情報が中層階用のエレベータ群を制御する中層階用制御部に送信される。そして、中層階用制御部は、中層階用のエレベータ群に含まれる乗りかごの中から割り当てる乗りかごを選択する。
【先行技術文献】
【特許文献】
【０００３】
【特許文献１】特許第５７２３２２８号公報
【発明の概要】
【発明が解決しようとする課題】
【０００４】
しかしながら、行先階が複数のエレベータバンクの共通停止階（例えば、乗り継ぎ階等）である場合、乗りかごの運行状況等によって、選択されたエレベータバンクより他のエレベータバンクを利用した方が、早く登録した行先階に到着できる場合がある。したがって、複数のエレベータバンクが存在する場合、効率的に共通停止階へ利用者を運ぶことができるエレベータシステムが提供できれば、エレベータシステムの運用の効率化および利用者の満足度向上が図れて有意義である。
【課題を解決するための手段】
【０００５】
実施形態のエレベータシステムは、一部の共通停止階を除き異なる階床に停止可能な乗りかごを含む複数のエレベータバンクで構成される。複数のエレベータバンクの少なくともいずれか一つは、行先階登録装置と、評価値計算部と、割当乗りかご選定部と、表示制御部とを含む。行先階登録装置は、乗りかごを呼ぶとともに行先階の登録が可能である。評価値計算部は、行先階登録装置で登録された行先階が共通停止階の場合に、共通停止階の登録が行われた行先階登録装置に対応するエレベータバンクである自バンクに含まれる乗りかごを利用する場合の利用適否を評価する自バンク評価値を算出する。評価値取得部は、共通停止階が登録された場合に、自バンク以外のエレベータバンクである他バンクに含まれる乗りかごを利用する場合の利用適否を評価する他バンク評価値を取得する。割当乗りかご選定部は、自バンク評価値と他バンク評価値とに基づき、複数のエレベータバンクに含まれる乗りかごの中から割当乗りかごを選定可能である。表示制御部は、選定された割当乗りかごが含まれるエレベータバンクの案内情報を行先階の登録が行われたエレベータバンクの表示装置に表示させる。
【図面の簡単な説明】
【０００６】
【図１】図１は、実施形態のエレベータシステムのエレベータバンクの構成の一例を示す模式図である。
【図２】図２は、実施形態のエレベータシステムの行先階登録装置の一例を示す模式図である。
【図３】図３は、実施形態のエレベータシステムのエレベータバンクの共通停止階の位置および各エレベータバンクの停止階の一例を示す模式図である。
【図４】図４は、実施形態のエレベータシステムのシステム構成の一例を示す模式図である。
【図５】図５は、実施形態のエレベータシステムの群管理制御装置を中心とする機能構成図の一例を示す図である。
【図６】図６は、実施形態のエレベータシステムの行先呼びに応答可能なエレベータバンクの判定情報（テーブル情報）の一例を示す図である。
【図７】図７は、実施形態のエレベータシステムの相対評価値を算出するときに参照する相対評価値表の一例を示す図である。
【図８Ａ】図８Ａは、実施形態のエレベータシステムの運用方法の一例を説明するフローチャートである。
【図８Ｂ】図８Ｂは、図８Ａのフローチャートにおける他バンクでの処理を説明するフローチャートである。
【図８Ｃ】図８Ｃは、図８Ａのフローチャートにおける割当乗りかごの選定処理の詳細を説明するフローチャートである。
【図９】図９は、実施形態のエレベータシステムのエレベータバンクの他の構成例を示す模式図である。
【発明を実施するための形態】
【０００７】
以下に、実施形態に係るエレベータシステムを図面に基づいて詳細に説明する。なお、この実施形態における構成要素には、当業者が置換可能、且つ、容易なもの、或いは実質的に同一のものが含まれ、以下の実施形態によりこの発明が限定されるものではない。
【０００８】
実施形態のエレベータシステムは、例えば、高層ビルに設置可能なシステムである。このシステムは、例えば、低層階用のエレベータ群と高層階用のエレベータ群とを備え、利用階に応じて各エレベータの乗りかごの運行管理（群管理）を行う、いわゆる「エレベータバンク」を構成するエレベータシステムである。
【０００９】
図１は、実施形態のエレベータシステム１０のエレベータバンク１２の構成の一例を示す模式図である。実施形態のエレベータシステム１０は、一部の共通停止階を除き異なる階床に停止可能な乗りかごを含む複数のエレベータバンクを備える。図１の場合、一例として二つのエレベータバンク１２Ａおよびエレベータバンク１２Ｂでエレベータシステム１０を構成している。エレベータバンク１２Ａは、例えば低層階用の六台のエレベータ１４（１Ａ号機〜６Ａ号機）が、乗り場スペース１６Ａを挟んで三台ずつ（例えば、１Ａ号機〜３Ａ号機と４Ａ号機〜６Ａ号機）が配置されている。同様に、エレベータバンク１２Ｂは、例えば高層階用の六台のエレベータ１４（１Ｂ号機〜６Ｂ号機）が、乗り場スペース１６Ｂを挟んで三台ずつ（例えば、１Ｂ号機〜３Ｂ号機と４Ｂ号機〜６Ｂ号機）が配置されている。
【００１０】
乗り場スペース１６Ａへのエントランススペース１８Ａには、エレベータシステム１０に含まれるエレベータ１４の乗りかごを呼ぶとともに行先階を登録するために行先階登録装置２０（一例として二台の行先階登録装置２０Ａａおよび行先階登録装置２０Ａｂ）が配置されている。同様に、乗り場スペース１６Ｂへのエントランススペース１８Ｂには、エレベータシステム１０に含まれるエレベータ１４の乗りかごを呼ぶとともに行先階を登録するために行先階登録装置２０（一例として二台の行先階登録装置２０Ｂａおよび行先階登録装置２０Ｂｂ）が配置されている。
【００１１】
行先階登録装置２０は、図２に模式的に示されるように、例えば、入力装置２０ａと表示装置２０ｂとで構成されている。
【００１２】
入力装置２０ａは、エレベータシステム１０の利用者が行先階を登録するための入力部であり、例えば、テンキー入力装置で構成されている。入力装置２０ａは、これに限定されず、例えば、タッチパネル型の入力装置やセキュリティゲート型の入力装置と共用されるタイプでもよい。セキュリティゲート型の入力装置の場合、身分証明証や通行証の提示により登録済みの階床（例えば、自身のオフィス等の階床）の行先階が入力されるようにしてもよい。この他、入力装置として、生体認証システムや音声入力システム等を用いてもよい。
【００１３】
表示装置２０ｂは、例えば、ＬＥＤ（light  emitting  diode）で構成される表示部であってもよいし、ＬＣＤ（liquid  crystal  display）や、ＯＥＬＤ（organic  electroluminescent  display）等で構成される表示部であってもよい。後述するが本実施形態において、利用者は、いずれの行先階登録装置２０Ａａ，２０Ａｂ，２０Ｂａ，２０Ｂｂから行先階の登録を行っても、移動に最適なエレベータ１４（１Ａ号機〜６Ｂ号機のいずれか）が選択され、呼び登録されるように構成されている。そして、入力装置２０ａによる入力操作に基づき、いずれのエレベータ１４が選定されたかを示す案内情報が、登録操作を行った行先階登録装置２０の表示装置２０ｂに表示されるように構成されている。図２の場合、行先登録の結果、エレベータ１４のうち２Ａ号機が呼び登録されたことが表示されている例である。なお、表示装置２０ｂに加え、または代えて、音声出力装置（例えば、スピーカ等）を用いて選定されたエレベータ１４の案内情報が音声で提示されるようにしてもよい。
【００１４】
図３は、実施形態のエレベータシステム１０のエレベータバンクの共通停止階２２の位置および、各エレベータバンク１２Ａ，１２Ｂの停止階の一例を示す模式図である。図３は、例えば、地上３０階建ての建物に本実施形態のエレベータバンク１２Ａおよびエレベータバンク１２Ｂを含むエレベータシステム１０を適用した例である。エレベータバンク１２Ａは、１階（１Ｆ）〜２０階（２０Ｆ）までを停止階し、エレベータバンク１２Ｂは、１階および２０階〜３０階（３０Ｆ）を停止階としている。したがって、図３のエレベータシステム１０の場合、共通停止階２２は、１階と２０階となる。このように、エレベータバンク１２Ａおよびエレベータバンク１２Ｂを用いることにより、エレベータバンク１２Ａに関しては、２１階以上に昇降路を設ける必要がなく、また、エレベータバンク１２Ｂに関しては、２階から１９階までは、乗り場を設ける必要がなくなる。その結果、複数台のエレベータ１４を運行する場合の敷設コストの低減を行うことができる。また、昇降路や乗り場が不要になった一部のスペースを別用途のスペースとして利用可能となり、建物のスペースの有効活用に寄与できる。なお、エレベータシステム１０の構成は一例であり、例えば、エレベータバンクが３群以上で構成されていてもよいし、共通停止階が３階床以上存在してもよい。例えば、１階、３階、１０階、２０階等が共通停止階であってもよい。
【００１５】
図４は、実施形態のエレベータシステム１０のシステム構成の一例を示す模式図である。エレベータバンク１２には、当該エレベータバンク１２属する各エレベータ１４を個別に制御する複数の制御装置２４を統括管理する群管理制御装置２６が設けられている。例えば、エレベータバンク１２Ａには、群管理制御装置２６Ａが設けられている。群管理制御装置２６Ａは、エレベータバンク１２Ａに属する複数のエレベータ１４（１Ａ号機〜６Ａ号機：図１参照）をそれぞれ独立して昇降制御させる複数の制御装置２４Ａと、通信ライン２８を介して接続されて、相互にデータ（運行情報等）の送受信が可能である。また、群管理制御装置２６Ａには、エレベータバンク１２Ａの各停止階（例えば１Ｆ〜２０Ｆ）に配置された行先階登録装置２０Ａａ，２０Ａｂが、通信ライン３０を介して接続されて、相互にデータ（運行情報等）の送受信が可能である。
【００１６】
同様に、エレベータバンク１２Ｂには、群管理制御装置２６Ｂが設けられている。群管理制御装置２６Ｂは、エレベータバンク１２Ｂに属する複数のエレベータ１４（１Ｂ号機〜６Ｂ号機：図１参照）をそれぞれ独立して昇降制御させる複数の制御装置２４Ｂと、通信ライン２８を介して接続されて、相互にデータ（運行情報等）の送受信が可能である。また、群管理制御装置２６Ｂには、エレベータバンク１２Ｂの各停止階（例えば１Ｆおよび２０Ｆ〜３０Ｆ）に配置された行先階登録装置２０Ｂａ，２０Ｂｂが、通信ライン３０を介して接続されて、相互にデータ（運行情報等）の送受信が可能である。
【００１７】
制御装置２４（２４Ａ，２４Ｂ）は、行先階登録装置２０（Ａａ，Ａｂ，Ｂａ，Ｂｂ等）によって行先階の登録操作が行われ、群管理制御装置２６（２６Ａ，２６Ｂ等）によって、運行するエレベータ１４が決定された場合に、そのエレベータ１４（割当乗りかご）の行先階や移動方向（昇降方向）や移動速度等を決定し、割当乗りかごを運行する。
【００１８】
群管理制御装置２６Ａと群管理制御装置２６Ｂとは、通信ライン３２によって相互接続され、互いが保持しているデータ（運行情報等）の送受信が可能で、互いが算出したデータの参照および利用が可能である。なお、通信ライン２８，３０，３２は、有線でも無線でもよい。
【００１９】
図５は、実施形態のエレベータシステム１０の群管理制御装置２６を中心とする機能構成図の一例を示す図である。なお、エレベータバンク１２Ａに含まれる群管理制御装置２６Ａとエレベータバンク１２Ｂに含まれる群管理制御装置２６Ｂとは、実質的に同じ構成である。したがって、以下の説明では、主として群管理制御装置２６Ａについて説明し、群管理制御装置２６Ｂの詳細な説明は省略する。
【００２０】
群管理制御装置２６Ａ（群管理制御装置２６）は、ＰＣ（Ｐｅｒｓｏｎａｌ  Ｃｏｍｐｕｔｅｒ）などの一般的な情報処理装置と同様のコンピュータ資源で構成しうる。群管理制御装置２６Ａは、制御部３４、記憶部３６、自他バンク判定部３８、評価値計算部４０、自他バンク情報送受信部４２、割当乗りかご選定部４４等を備えうる。
【００２１】
制御部３４には、行先階登録装置２０（２０Ａａ，２０Ａｂ）が接続されている。制御部３４は、行先階登録装置２０で入力された行先階に関する行先階データ（登録データ）を受信すると、当該行先階データを自他バンク判定部３８、評価値計算部４０、自他バンク情報送受信部４２、割当乗りかご選定部４４に提供する。また、割当乗りかご選定部４４が最終的に選定した割当乗りかごに関する結果データを取得した場合、取得した結果データを行先階の登録が行われた行先階登録装置２０に送信して、行先階登録装置２０の表示装置２０ｂに選定した割当乗りかごに関する情報データを表示させる。つまり、制御部３４は、「表示制御部」としても機能する。
【００２２】
記憶部３６は、エレベータシステム１０を運用するための各種仕様データや設定データ等を記憶している。記憶部３６は、例えば、エレベータシステム１０に属するエレベータバンク１２の数および各エレベータバンク１２の識別データ、各エレベータバンク１２のエレベータ１４の共通停止階２２を含む停止可能階データ等を記憶している。また、記憶部３６は、各エレベータバンク１２に属するエレベータ１４の接続台数、各エレベータ１４の仕様等を記憶している。この他、自他バンク判定部３８、評価値計算部４０、自他バンク情報送受信部４２、割当乗りかご選定部４４等で実行される各種処理の際に参照する基準データ等を記憶している。基準データの詳細は後述する。したがって、制御部３４、自他バンク判定部３８、評価値計算部４０、自他バンク情報送受信部４２、割当乗りかご選定部４４は、記憶部３６の記憶する各種データを適宜参照することができる。
【００２３】
自他バンク判定部３８は、制御部３４から送信される行先階データを参照して、登録された行先階がエレベータバンク１２Ａに含まれるエレベータ１４で応答可能か、またはエレベータバンク１２Ｂで応答可能かの判定を行う。なお、本実施形態において、エレベータバンク１２Ａを基準にして、当該エレベータバンク１２Ａを「自バンク」と称する場合がある。また、エレベータバンク１２Ａを基準にして、エレベータバンク１２Ａ（自バンク）以外のエレベータバンク１２Ｂを「他バンク」と称する場合がある。したがって、エレベータバンク１２Ｂが基準となる場合は、エレベータバンク１２Ｂを「自バンク」と称し、エレベータバンク１２Ｂを基準にして、エレベータバンク１２Ａを「他バンク」と称することになる。
【００２４】
例えば、自他バンク判定部３８は、登録された行先階に応答可能か否かを判定するために、記憶部３６が保持する複数の基準（例えば停止可能階データ）として、例えば、第一基準〜第四基準を参照する。第一基準は、例えば、「登録された行先階データは、エレベータバンク１２Ａに属するエレベータ１４（１Ａ号機〜６Ａ号機）のみで応答可能」である。また、第二基準は、例えば、「登録された行先階データは、エレベータバンク１２Ｂに属するエレベータ１４（１Ｂ号機〜６Ｂ号機）のみで応答可能」である。また、第三基準は、例えば、「登録された行先階データは、エレベータバンク１２Ａに属するエレベータ１４（１Ａ号機〜６Ａ号機）で応答可能で、かつエレベータバンク１２Ｂに属するエレベータ１４（１Ｂ号機〜６Ｂ号機）で応答可能」である。また、第四基準は、例えば、「登録された行先階データは、エレベータバンク１２Ａに属するエレベータ１４（１Ａ号機〜６Ａ号機）およびエレベータバンク１２Ｂに属するエレベータ１４（１Ｂ号機〜６Ｂ号機）で応答不可能」である。自他バンク判定部３８は、各基準に基づく判定情報（判定結果）を評価値計算部４０および自他バンク情報送受信部４２に送信する。なお、エレベータシステム１０のバンク構成が、エレベータバンク１２Ａとエレベータバンク１２Ｂの場合、第四基準は、省略してもよい。
【００２５】
自他バンク判定部３８は、上述した基準に基づき、図６に示すような行先呼びに応答可能なエレベータバンク（「サービスバンク」ともいう）の判定情報（テーブル情報４６）を作成し、評価値計算部４０、自他バンク情報送受信部４２、割当乗りかご選定部４４に送信する。図６の場合、複数の行先階登録が行われた場合を示すテーブル情報４６の例であり、行先呼び（行先階）が２０Ｆ（共通停止階２２）の場合、エレベータバンク１２Ａ（図中、バンクＡ）およびエレベータバンク１２Ｂ（図中、バンクＢ）のいずれでも対応可能であることを示している。また、行先呼び（行先階）が２５Ｆ（非共通停止階）の場合、エレベータバンク１２Ａでは対応不可で、エレベータバンク１２Ｂのみが対応可能であることを示している。
【００２６】
評価値計算部４０は、自他バンク判定部３８から送信されたテーブル情報４６に基づき、登録された行先階（例えば、共通停止階２２）がエレベータバンク１２Ａ（自バンク）に属するエレベータ１４（１Ａ号機〜６Ａ号機）で対応可能であると判定した場合（第一基準または第三基準を満たす場合）、エレベータバンク１２Ａに属するエレベータ１４の乗りかご毎の利用適否を評価する評価値を算出する。群管理制御装置２６Ａの評価値計算部４０の場合、登録された行先階が例えば共通停止階２２の場合（第三基準を満たす場合）、エレベータバンク１２Ａ（自バンク）に含まれるエレベータ１４の乗りかごを利用する場合の利用適否を評価する自バンク評価値を算出する。
【００２７】
評価値計算部４０は、割当評価部４０ａと相対評価算出部４０ｂを備える。割当評価部４０ａは、評価値の一つとして、自バンクの各エレベータ１４の乗りかごの運行状態に基づく第一評価値（以下、割当評価値という）を算出する。また、相対評価算出部４０ｂは、評価値の一つとして、登録が行われた行先階登録装置２０と自バンクで利用するエレベータ１４の乗りかごが到着するかご乗り口（例えば、かご扉の正面位置）までの距離に基づく第二評価値(以下、相対評価値という)を算出する。
【００２８】
割当評価部４０ａは、例えば、エレベータ１４の号機番号（Ｘ＝１〜６）とエレベータバンク１２のバンク番号（Ｙ＝０，１）を変数とする割当評価値Ｆ１（Ｘ，Ｙ）をエレベータ１４毎（実施形態では１Ａ号機〜６Ａ号機毎）に算出する。なお、「割当評価値Ｆ１（Ｘ，Ｙ）」は、エレベータ１４（１Ａ号機〜６Ａ号機）の状態を表す指標に相当する指標であり、エレベータバンク１２Ａに対するＸ号機の評価値である。割当評価部４０ａは、エレベータ１４の乗りかごの現在位置及び移動方向（昇降方向）、これから発生すると予測される乗場呼び、かご呼び、予測される行先階、行先階登録装置２０により登録が行われた乗場呼び発生階（例えば、１Ｆ）への予想到着時間等の種々の管理指標に基づいて、割当評価値Ｆ１（Ｘ，Ｙ）を算出する。本実施形態の場合、エレベータバンク１２Ａとエレベータバンク１２Ｂを制御対象例としているので、エレベータバンク１２Ａ（自バンク）の場合、例えば、Ｙ＝０、エレベータバンク１２Ｂ（他バンク）の場合、例えば、Ｙ＝１とすると、エレベータバンク１２Ａにおいて割当評価部４０ａが割当評価値Ｆ１（Ｘ，Ｙ）を算出する際、Ｙは、固定的な変数「０」が用いられる。したがって、群管理制御装置２６Ａの割当評価部４０ａは、割当評価値Ｆ１（１，０）〜Ｆ１（６，０）を算出する。なお、群管理制御装置２６Ａの割当評価部４０ａは、エレベータバンク１２Ｂ側の群管理制御装置２６Ｂから要求があった場合も同様に、エレベータバンク１２Ｂ用の割当評価値Ｆ１（１，０）〜Ｆ１（６，０）を算出することができる。
【００２９】
また、相対評価算出部４０ｂは、例えば、記憶部３６に保持された図７に示すような相対評価表４８を参照し、エレベータ１４の号機番号（Ｘ＝１〜６）とエレベータバンク１２のバンク番号（Ｙ＝０，１）を変数とする相対評価値Ｆ２（Ｘ，Ｙ）をエレベータ１４毎（実施形態では１Ａ号機〜６Ａ号機毎）に算出する。本実施形態の場合、例えば、エレベータバンク１２Ａのエレベータ１４（１Ａ号機〜６Ａ号機）のうち、行先階登録を行った行先階登録装置２０から近いエレベータ１４ほど相対評価値Ｆ２（Ｘ，Ｙ）の値が高くなる（最も近い場合、例えば「６」になる）ように相対評価表４８が設定されている。また、行先階登録を行った行先階登録装置２０から遠いエレベータ１４ほど相対評価値Ｆ２（Ｘ，Ｙ）の値が小さくなる（最も遠い場合、例えば「１」になる）ように相対評価表４８が設定されている。したがって、各エレベータ１４の相対評価値Ｆ２（Ｘ，Ｙ）は、行先階登録装置２０の設置された位置に応じて変化することになる。つまり、行先階登録を行った行先階登録装置２０からの距離（移動時間）の大小が、登録された行先階に効率的に行くためのエレベータ１４の選定基準の一つとして考慮されることなる。したがって、群管理制御装置２６Ａの相対評価算出部４０ｂは、相対評価値Ｆ２（１，０）〜Ｆ２（６，０）を算出する。
【００３０】
なお、群管理制御装置２６Ａの相対評価算出部４０ｂは、群管理制御装置２６Ｂから要求があった場合、エレベータバンク１２Ｂ側の行先階登録装置２０からエレベータバンク１２Ａのエレベータ１４（１Ａ号機〜６Ａ号機）の各乗り場に関する相対評価値Ｆ２（Ｘ，Ｙ）を算出する。この場合、エレベータバンク１２Ｂ側の行先階登録装置２０からエレベータバンク１２Ａのエレベータ１４（１Ａ号機〜６Ａ号機）の各乗り場までの相対距離は、エレベータバンク１２Ａ側の行先階登録装置２０からの相対距離より長くなる。したがって、群管理制御装置２６Ａの相対評価算出部４０ｂは、図７に示す値より大きな値（例えば、２倍）に設定された、別途準備されたエレベータバンク１２Ｂの行先階登録装置２０（例えば２０Ｂａ）とエレベータバンク１２Ａのエレベータ１４（１Ａ号機〜６Ａ号機）との相対距離に関する相対評価表４８を参照して、相対評価値Ｆ２（１，０）〜Ｆ２（６，０）を算出する。
【００３１】
評価値計算部４０は、割当評価部４０ａにより割当評価値Ｆ１（Ｘ，Ｙ）が算出され、相対評価算出部４０ｂにより相対評価値Ｆ２（Ｘ，Ｙ）が算出されると、エレベータバンク１２Ａに含まれるエレベータ１４の台数分の総合評価値Ｅ（Ｘ，Ｙ）を算出する。総合評価値Ｅ（Ｘ，Ｙ）は、割当評価値Ｆ１と相対評価値Ｆ２との合算値とすることができる。この場合、総合評価値Ｅ（Ｘ，Ｙ）に対する割当評価値Ｆ１と相対評価値Ｆ２との影響力を調節するために、以下の式（１）に示すように、所定の重み係数αを考慮してもよい。
Ｅ（Ｘ，Ｙ）＝（１−α）Ｆ１（Ｘ，Ｙ）＋（α）Ｆ２（Ｘ，Ｙ）・・・（式１）
この場合、重み係数αは、０〜１の値とすることができる。例えば、割当評価値Ｆ１（Ｘ，Ｙ）と相対評価値Ｆ２（Ｘ，Ｙ）を均等に評価したい場合、重み係数α＝０．５とする。また、相対評価値Ｆ２（Ｘ，Ｙ）を優先してエレベータ１４（乗りかご）の選定を行いたい場合は、重み係数αは、０．５〜１の間に設定する。この場合、群管理制御装置２６Ａの評価値計算部４０で算出された割当評価値Ｆ１（Ｘ，Ｙ）、相対評価値Ｆ２（Ｘ，Ｙ）、総合評価値Ｅ（Ｘ，Ｙ）を「自バンク評価値」という場合がある。
【００３２】
ここで、自他バンク情報送受信部４２は、自他バンク判定部３８から送信されたテーブル情報４６に基づき、登録された行先階（例えば、共通停止階２２）がエレベータバンク１２Ｂ（他バンク）に属するエレベータ１４（１Ｂ号機〜６Ｂ号機）で対応可能であると判定したとする。つまり、上述の第二基準または第三基準を満たす場合である。この場合、自他バンク情報送受信部４２は、エレベータバンク１２Ａ側の行先階登録装置２０で登録された行先階データをエレベータバンク１２Ｂ側の群管理制御装置２６Ｂに通信ライン３２を介して送信する。その結果、群管理制御装置２６Ｂでは、送信された行先階データの行先階（例えば、共通停止階２２）にエレベータバンク１２Ｂ側のエレベータ１４（１Ｂ号機〜６Ｂ号機）で対応した場合の割当評価値Ｆ１（Ｘ，Ｙ）、相対評価値Ｆ２（Ｘ，Ｙ）、総合評価値Ｅ（Ｘ，Ｙ）が、群管理制御装置２６Ａで説明した場合と同様に算出される。この場合、群管理制御装置２６Ｂの評価値計算部４０が相対評価値Ｆ２（Ｘ，Ｙ）を算出する際は、エレベータバンク１２Ａの行先階登録装置２０（例えば２０Ａａ）とエレベータバンク１２Ｂのエレベータ１４（１Ｂ号機〜６Ｂ号機）までの相対距離に関する相対評価表４８を参照する。群管理制御装置２６Ｂの評価値計算部４０で算出された割当評価値Ｆ１（Ｘ，Ｙ）、相対評価値Ｆ２（Ｘ，Ｙ）、総合評価値Ｅ（Ｘ，Ｙ）を「他バンク評価値」という場合がある。そして、その算出結果が、群管理制御装置２６Ｂの自他バンク情報送受信部４２によって、群管理制御装置２６Ａ側に通信ライン３２を介して送り返される。この場合、群管理制御装置２６Ａ側の自他バンク情報送受信部４２は、行先階データを送信してから群管理制御装置２６Ｂで算出された各評価値（割当評価値Ｆ１（Ｘ，Ｙ）、相対評価値Ｆ２（Ｘ，Ｙ）、総合評価値Ｅ（Ｘ，Ｙ））が受信されるまでの時間（他バンク応答時間）を計測する。
【００３３】
そして、自他バンク情報送受信部４２は、計測した他バンク応答時間を割当乗りかご選定部４４に送信する。したがって、自他バンク情報送受信部４２は、共通停止階２２が登録された場合に、自バンク（エレベータバンク１２Ａ）以外の他バンク（エレベータバンク１２Ｂ）に含まれる乗りかごを利用する場合の利用適否を評価する他バンク評価値を取得する「評価値取得部」として機能する。なお、群管理制御装置２６Ａの評価値計算部４０は、通信ライン３２を介して、エレベータバンク１２Ｂ側の各種データを取得してもよい。この場合、群管理制御装置２６Ａ側の評価値計算部４０は、エレベータバンク１２Ｂ側のエレベータ１４（１Ｂ号機〜６Ｂ号機）で行先階に対応した場合の割当評価値Ｆ１（Ｘ，Ｙ）、相対評価値Ｆ２（Ｘ，Ｙ）、総合評価値Ｅ（Ｘ，Ｙ）を算出（取得）してもよい。
【００３４】
群管理制御装置２６Ａの割当乗りかご選定部４４は、群管理制御装置２６Ａの評価値計算部４０で算出した「自バンク評価値」と群管理制御装置２６Ｂの評価値計算部４０で算出されて通信ライン３２を介して取得した「他バンク評価値」とに基づき、乗りかごの選定を行う。つまり、エレベータバンク１２Ａとエレベータバンク１２Ｂに含まれるエレベータ１４の乗りかごの中から、行先階登録装置２０で登録された行先階に利用者を運ぶために最適な乗りかご（割当乗りかご）を選定する。
【００３５】
割当乗りかご選定部４４は、取得した各総合評価値Ｅ（Ｘ、Ｙ）をエレベータバンク１２毎に比較して、同一のエレベータバンク１２の中で評価の最も高い総合評価値Ｅ（Ｘ、Ｙ）を選択する。また、必要に応じて、それぞれのエレベータバンク１２において、最も高い総合評価値Ｅ（Ｘ、Ｙ）の割当評価値Ｆ１（Ｘ，Ｙ）と相対評価値Ｆ２（Ｘ，Ｙ）の比較を行う。それぞれのエレベータバンク１２において選択された総合評価値Ｅ（Ｘ、Ｙ）が異なる値の場合、評価の高い総合評価値Ｅ（Ｘ、Ｙ）のエレベータバンク１２のエレベータ１４の中から割当乗りかごを選定する。また、各総合評価値Ｅ（Ｘ、Ｙ）が同値の場合で、各割当評価値Ｆ１（Ｘ，Ｙ）が同値かつ相対評価値Ｆ２（Ｘ，Ｙ）同値の場合、エレベータバンク１２毎に設定された優先順値に従い、優先度の高いエレベータバンク１２から割当乗りかごを選定する。また、それぞれのエレベータバンク１２の総合評価値Ｅ（Ｘ、Ｙ）が同値の場合で、各割当評価値Ｆ１（Ｘ，Ｙ）と相対評価値Ｆ２（Ｘ，Ｙ）の少なくとも一方が異なる値の場合、割当評価値Ｆ１（Ｘ，Ｙ）と相対評価値Ｆ２（Ｘ，Ｙ）とに設定された優先順値に従い割当乗りかごを選定する。
【００３６】
割当乗りかご選定部４４によって、割当乗りかごが選定された場合、割当乗りかご選定部４４は、制御部３４に選定結果を送信する。そして制御部３４は、選定された割当乗りかごが含まれるエレベータバンク１２の案内情報（例えば、エレベータ１４の号機番号やそのエレベータ１４が含まれるエレベータバンク１２の名称（場所）等を行先階の登録が行われた行先階登録装置２０の表示装置２０ｂに表示させる。
【００３７】
このように構成されるエレベータシステム１０の運用方法の一例を図８Ａ〜図８Ｃのフローチャートに基づいて説明する。なお、図８Ａは、主フローチャートであり、図８Ｂは、図８Ａのフローチャートにおける他バンクでの処理を説明するフローチャートであり、図８Ｃは、図８Ａのフローチャートにおける割当乗りかごの選定処理の詳細を説明するフローチャートである。図８Ａ〜図８Ｃに示すフローチャートでは、エレベータシステム１０の利用者が図１において、エレベータバンク１２Ａの行先階登録装置２０（２０Ａａ）で、行先階として２０Ｆ（共通停止階２２）を登録した場合の処理動作の例を説明する。また、この場合、エレベータバンク１２Ａを「自バンク」として説明し、エレベータバンク１２Ｂを「他バンク」として説明する。
【００３８】
エレベータバンク１２Ａ（自バンク）の群管理制御装置２６Ａの制御部３４は、エレベータバンク１２Ａ側の行先階登録装置２０（例えば２０Ａａ）から行先階の登録（行先呼び、行先階登録ステップの処理）を受信したか否かの確認を行う（Ｓ１００のＮｏ）。そして、行先呼びを受信した場合（Ｓ１００のＹｅｓ）、制御部３４は、受信した行先呼び（行先階データ）を自他バンク判定部３８、評価値計算部４０、自他バンク情報送受信部４２、割当乗りかご選定部４４に送信する。
【００３９】
自他バンク判定部３８は、行先呼び（例えば、２０Ｆの登録）を受信すると、行先呼びがエレベータバンク１２Ａおよびエレベータバンク１２Ｂの停止階（サービス階）か否かを記憶部３６が保持する停止可能階データを参照して判定する（Ｓ１０２）。自他バンク判定部３８は、行先呼びが、エレベータバンク１２Ａ（自バンク）の停止階（サービス階）であると判定した場合（Ｓ１０２のＹｅｓ）、評価値計算部４０は、Ｓ１０４〜Ｓ１１２において、エレベータバンク１２Ａに含まれるエレベータ１４の号機台数（Ｘ）分（１Ａ号機〜６Ａ号機）の評価値を算出するループ処理を実行する（算出ステップ）。なお、自他バンク判定部３８は、Ｓ１０４〜Ｓ１１２のループ処理を実行するのに先立ち、図６に示すテーブル情報４６を作成する。そして、自他バンク判定部３８は、テーブル情報４６を評価値計算部４０、自他バンク情報送受信部４２、割当乗りかご選定部４４へ送信する。
【００４０】
Ｓ１０４〜Ｓ１１２のループ処理において、上述したように、割当評価部４０ａは、割当評価値Ｆ１（Ｘ，Ｙ）を算出し（Ｓ１０６）、相対評価算出部４０ｂは、相対評価値Ｆ２（Ｘ，Ｙ）を算出する（Ｓ１０８）。そして評価値計算部４０は、算出した割当評価値Ｆ１（Ｘ，Ｙ）と相対評価値Ｆ２（Ｘ，Ｙ）に基づき、総合評価値Ｅ（Ｘ，Ｙ）を算出する（Ｓ１１０）。このループ処理は、エレベータバンク１２Ａに含まれる各エレベータ１４（１Ａ号機〜６Ａ号機）について実行される。
【００４１】
エレベータバンク１２Ａ（自バンク）において、ループ処理が完了したら、自他バンク情報送受信部４２は、登録されている行先呼び（行先階）が、エレベータバンク１２Ｂ（他バンク）のエレベータ１４の停止階（サービス階）か否か判定する（Ｓ１１４）。自他バンク情報送受信部４２は、この判定を自他バンク判定部３８から提供されたテーブル情報４６に基づき実行する。そして、行先呼び（行先階）が、エレベータバンク１２Ｂ（他バンク）のサービス階に含まれる場合（Ｓ１１４のＹｅｓ）、自他バンク情報送受信部４２は、行先呼び（行先階）に関する行先階データをエレベータバンク１２Ｂ（他バンク）へ送信する（Ｓ１１６）。また、自他バンク情報送受信部４２は、行先階データを送信してからの他バンク応答時間（Ｔ）の計測を開始する（Ｓ１１８）。
【００４２】
なお、Ｓ１０２の処置において、自他バンク判定部３８が行先呼びは、エレベータバンク１２Ａの停止階（サービス階）ではないと判定した場合（Ｓ１０２のＮｏ）、自他バンク情報送受信部４２は、エレベータバンク１２Ａ側での処理を行うことなく、行先呼び（行先階）に関する行先階データをエレベータバンク１２Ｂ（他バンク）へ送信する（Ｓ１２０）。
【００４３】
図８Ｂに示すフローチャートは、エレベータバンク１２Ａの群管理制御装置２６Ａの自他バンク情報送受信部４２から送信された行先呼び（行先階）に関する行先階データを受信した場合のエレベータバンク１２Ｂの群管理制御装置２６Ｂにおける処理である。群管理制御装置２６Ｂの自他バンク情報送受信部４２は、通信ライン３２を介して、他バンク（ここでは、エレベータバンク１２Ａ）の行先呼びに関する行先階データを受信したか否か確認し（Ｓ１２２のＮｏ）、受信を確認した場合（Ｓ１２２のＹｅｓ）、各評価値を算出するためのループ処理を実行する。つまり、群管理制御装置２６Ｂの評価値計算部４０は、Ｓ１２４〜Ｓ１３２において、エレベータバンク１２Ｂに含まれるエレベータ１４の号機台数（Ｘ）分（１Ｂ号機〜６Ｂ号機）のループ処理を実行する。この場合、Ｓ１２６の処理は、群管理制御装置２６Ｂの割当評価部４０ａで実行さされ、算出される割当評価値Ｆ１（Ｘ，Ｙ）は、エレベータバンク１２Ｂに含まれるエレベータ１４の運行状態を評価する評価値である。また、Ｓ１２８の処理は、群管理制御装置２６Ｂの相対評価算出部４０ｂで実行され、算出される相対評価値Ｆ２（Ｘ，Ｙ）は、エレベータバンク１２Ａの行先階登録装置２０とエレベータバンク１２Ｂのエレベータ１４のかご乗り口までの相対距離を評価する評価値である。そして、Ｓ１３０の処理は、群管理制御装置２６Ｂの評価値計算部４０で実行され、算出される総合評価値Ｅ（Ｘ，Ｙ）は、Ｓ１２６で算出された割当評価値Ｆ１（Ｘ，Ｙ）およびＳ１２８で算出された相対評価値Ｆ２（Ｘ，Ｙ）の合算値である。
【００４４】
エレベータバンク１２Ｂにおいて、ループ処理が完了したら、群管理制御装置２６Ｂの自他バンク情報送受信部４２は、算出した割当評価値Ｆ１（Ｘ，Ｙ）、相対評価値Ｆ２（Ｘ，Ｙ）、総合評価値Ｅ（Ｘ，Ｙ）を行先呼びに関する行先階データの送信元である群管理制御装置２６Ａの自他バンク情報送受信部４２に送信する（Ｓ１３４）。
【００４５】
図８Ａに戻り、群管理制御装置２６Ａの割当乗りかご選定部４４は、他バンク応答時間（Ｔ）が一定時間（所定期間）経過したか否か判定する（Ｓ１３６）。ここで、「一定時間」とは、例えば、行先階登録装置２０に設定された応答時間とすることができる。また、他の例では、例えば、総合評価値Ｅ（Ｘ，Ｙ）の算出に必要な時間の理論値の例えば２倍とすることができる。一定時間が経過した場合（Ｓ１３６のＹｅｓ）、エレベータバンク１２Ｂ（他バンク）からの評価値が得られたか否かに拘わらず、図８Ｃの処理に移行する。このような処理を行うことにより、仮に群管理制御装置２６Ｂにおける処理が遅延していた場合でも、行先階登録装置２０を操作した利用者に応答遅れによるストレスを与え難くすることができる。
【００４６】
Ｓ１３６において、一定時間の経過前は（Ｓ１３６のＮｏ）、群管理制御装置２６Ａの割当乗りかご選定部４４は、エレベータバンク１２Ｂ（他バンク）からの総合評価値Ｅ（Ｘ，Ｙ）等の取得を待つ（Ｓ１３８のＮｏ）。そして、一定時間の経過前に全ての総合評価値Ｅ（Ｘ，Ｙ）等の取得（ここではエレベータバンク１２Ｂ側の評価値）が完了した場合（Ｓ１３８のＹｅｓ）、図８Ｃの処理に移行する。つまり、自バンクおよび他バンクで算出された各評価値を用いて、割当乗りかごの選定を行う。したがって、一定時間内であれば、自バンクおよび他バンクの評価値を考慮した処理が実行できる（取得ステップ）。
【００４７】
続いて、図８Ｃを参照する。群管理制御装置２６Ａの割当乗りかご選定部４４は、取得したエレベータバンク１２毎の複数のエレベータ１４の総合評価値Ｅ（Ｘ，Ｙ）の中からに最適な総合評価値Ｅ（Ｘ，Ｙ）を算出し、されに、算出したエレベータバンク１２毎の最適な総合評価値Ｅ（Ｘ，Ｙ）を比較する（Ｓ１４０）。比較の結果、エレベータバンク１２毎の最適な総合評価値Ｅ（Ｘ，Ｙ）が同値ではない場合（Ｓ１４２）、群管理制御装置２６Ａの割当乗りかご選定部４４は、エレベータバンク１２毎の最適な総合評価値Ｅ（Ｘ，Ｙ）のうち評価値が高いエレベータバンク１２の総合評価値Ｅ（Ｘ，Ｙ）に基づき割当乗りかごの選定を実行する（Ｓ１４４）。
【００４８】
Ｓ１４２において、比較の結果、エレベータバンク１２毎の最適な総合評価値Ｅ（Ｘ，Ｙ）が同値の場合（Ｓ１４２のＹｅｓ）、エレベータバンク１２毎の最適な総合評価値Ｅ（Ｘ，Ｙ）における割当評価値Ｆ１（Ｘ，Ｙ）と相対評価値Ｆ２（Ｘ，Ｙ）との比較を行う（Ｓ１４６）。
【００４９】
Ｓ１４６の比較の結果、エレベータバンク１２毎の最適な総合評価値Ｅ（Ｘ，Ｙ）における割当評価値Ｆ１（Ｘ，Ｙ）が同値であり、かつ相対評価値Ｆ２（Ｘ，Ｙ）が同値である場合（Ｓ１４８のＹｅｓ）、Ｓ１５０に移行する。つまり、群管理制御装置２６Ａの割当乗りかご選定部４４は、予め設定されたエレベータバンク１２の優先順位に基づいて割当乗りかごの選定を実行する（Ｓ１５０）。エレベータバンク１２の優先順位は、エレベータシステム１０の構造やエレベータシステム１０の管理者等の要望によって予め決めることができる。例えば、建物の入口から近い方のエレベータバンク１２の優先順位を高めるように設定することができる。なお、この優先順位は、適宜変更可能である。
【００５０】
Ｓ１４８において、エレベータバンク１２毎の割当評価値Ｆ１（Ｘ，Ｙ）が同値かつ相対評価値Ｆ２（Ｘ，Ｙ）が同値、ではない場合（Ｓ１４８Ｎｏ）、予め定められた割当評価値Ｆ１（Ｘ，Ｙ）と相対評価値Ｆ２（Ｘ，Ｙ）との優先順位に基づいて割当乗りかごの選定を実行するこができる。例えば、割当評価値Ｆ１（Ｘ，Ｙ）を相対評価値Ｆ２（Ｘ，Ｙ）より優先評価することが定められている場合（Ｓ１５２のＹｅｓ）、割当評価値Ｆ１（Ｘ，Ｙ）が高い方のエレベータバンク１２から割当乗りかごの選定が行われる（Ｓ１５４）。一方、例えば、相対評価値Ｆ２（Ｘ，Ｙ）を割当評価値Ｆ１（Ｘ，Ｙ）より優先評価することが定められている場合（Ｓ１５２のＮｏ）、相対評価値Ｆ２（Ｘ，Ｙ）が高い方のエレベータバンク１２から割当乗りかごの選定を行う（Ｓ１５６）。
【００５１】
なお、図８ＡのＳ１１４において、登録された行先階が他バンク（エレベータバンク１２Ｂ）のサービス階ではない場合（Ｓ１１４のＮｏ）、つまり、行先階は、エレベータバンク１２Ａに属するエレベータ１４でしか行けない場合、Ｓ１０４〜Ｓ１１２のループ処理で算出した自バンクの総合評価値Ｅ（Ｘ，Ｙ）に基づき割当乗りかごの選定を行う（Ｓ１５８）。
【００５２】
以上のように、各評価値に基づき、登録された行先階に応答する割当乗りかごの選定が完了したら、選定された割当乗りかごが含まれるエレベータバンク１２の案内情報を行先階の登録が行われたエレベータバンク１２の表示装置２０ｂに表示させて（Ｓ１６０）、一連の処理を完了する（表示ステップ）。
【００５３】
このように、複数のエレベータバンク１２が存在するエレベータシステム１０において、共通停止階２２を行先階として登録した場合、各エレベータバンク１２のエレベータ１４の運行状況や行先階の登録を行った行先階登録装置２０から実際に搭乗するエレベータ１４までの距離等を考慮した上で、最も効率的に共通停止階２２へ利用者を運ぶことができる割当乗りかごの提示ができる。その結果、エレベータシステム１０の運用の効率化および利用者の満足度の向上が図れる。
【００５４】
なお、エレベータシステム１０の各エレベータバンク１２の構成は一例であり、本実施形態の割当乗りかごの選定方法を例えば、図９に示すようなエレベータシステム１００に適用してもよく、同様の効果を得ることができる。
【００５５】
図９に示すエレベータシステム１００は、いわゆるセキュリティゲート型のエントランスのゲート５０を備えるシステムである。図９の場合、一例として、エレベータバンク１２Ａ〜１２Ｄが設けられた４バンクから構成されるシステムである。エレベータシステム１００の場合、各エレベータバンク１２Ａ〜１２Ｄから独立したバンク割当制御部５２が設けられている。また、ゲート５０には、例えば、タッチセンサタイプの登録可能な行先階登録装置２０が設けられている。
【００５６】
エレベータ利用者は、ゲート５０を通過する際に行先階登録装置２０に例えば身分証明証や通行証をタッチすることにより、ゲート５０の開放と身分証等に登録済みの行先階が入力される。別の例では、通行許可時に上述の実施形態と同様にテンキー入力等により希望の行先階を登録できるようにしてもよい。
【００５７】
バンク割当制御部５２は、各エレベータバンク１２Ａ〜１２Ｄを統括管理する制御装置であり、行先階登録装置２０で登録された行先階データを同時に各エレベータバンク１２Ａ〜１２Ｄに送信する。エレベータバンク１２Ａ〜１２Ｄは、それぞれ図５で説明した群管理制御装置２６と同様な群管理制御装置を備える。そして、各エレベータバンク１２Ａ〜１２Ｄの群管理制御装置は、バンク割当制御部５２から送信された行先階データに基づき、自バンクにおける割当評価値Ｆ１（Ｘ，Ｙ）、相対評価値Ｆ２（Ｘ，Ｙ）、総合評価値Ｅ（Ｘ，Ｙ）を算出し、バンク割当制御部５２に送信（返信）する。バンク割当制御部５２は、各エレベータバンク１２Ａ〜１２Ｄから送信された割当評価値Ｆ１（Ｘ，Ｙ）、相対評価値Ｆ２（Ｘ，Ｙ）、総合評価値Ｅ（Ｘ，Ｙ）を比較し、行先階登録装置２０で登録された行先階に応答する割当乗りかごを決定する。そして、最終的に行先階の登録が行われた行先階登録装置２０の表示装置２０ｂに、選定された割当乗りかごが属するエレベータバンクの案内情報（バンク番号やエレベータ番号等）を表示させる。なお、この場合、バンク割当制御部５２は、割当乗りかご選定部として機能することになる。
【００５８】
この構成によれば、ゲート５０の行先階登録装置２０で登録された行先階データは、同時に各エレベータバンク１２Ａ〜１２Ｄに送信されるので、各エレベータバンク１２Ａ〜１２Ｄにおける評価値の算出を迅速に行うことができる。そして、バンク割当制御部５２が各エレベータバンク１２Ａ〜１２Ｄからの評価値を総合的に管理するので、効率的に割当乗りかごの選定を行うことができる。また、各エレベータバンク１２Ａ〜１２Ｄの群管理制御装置の処理負荷が軽減可能となり、各群管理制御装置のコスト低減に寄与することができる。
【００５９】
また、変形例においては、バンク割当制御部５２が、各エレベータバンク１２における割当評価値Ｆ１（Ｘ，Ｙ）、相対評価値Ｆ２（Ｘ，Ｙ）、総合評価値Ｅ（Ｘ，Ｙ）を算出する機能を備えるようにしてもよい。この場合、各エレベータバンク１２は、バンク割当制御部５２に対して各エレベータバンク１２に属するエレベータの運行状況等の情報を提供することになる。この場合、各エレベータバンク１２における処理装置の構成を簡略化することができる。また、バンク割当制御部５２がいずれか一つのエレベータバンク１２に設けられて機能するようにしてもよい。例えば、エレベータバンク１２Ａにエレベータバンク１２Ｂ〜１２Ｄのエレベータの運行状況が送信され、エレベータバンク１２Ａで評価処理および選定処理が行われてもよい。この場合、例えばエレベータバンク１２Ｂ〜１２Ｄの群管理制御装置の処理負荷が軽減可能となり、各群管理制御装置のコスト低減に寄与することができる。
【００６０】
また、エレベータシステム１００の変形例として、バンク割当制御部５２を省略して、ゲート５０に最も近いエレベータバンク１２（例えば、エレベータバンク１２Ａ）を自バンクとして、他のエレベータバンク１２Ｂ〜１２Ｄを他バンクとする。そして、図５で説明したものと同様な処理を行ってもよい。つまり、エレベータバンク１２Ａの群管理制御装置がバンク割当制御部５２の機能を実行するようにしてもよい。この場合もゲート５０の行先階登録装置２０で登録された行先階データは、同時に各エレベータバンク１２Ａ〜１２Ｄに送信されるので、最終的な割当乗りかごの選定速度を向上させることができる。
【００６１】
また、別の変形例では、同様に、ゲート５０の行先階登録装置２０で登録された行先階データは、同時に各エレベータバンク１２Ａ〜１２Ｄに送信される。そして、各エレベータバンク１２Ａ〜１２Ｄで評価値に基づく、自バンクにおける最適な割当乗りかごを選定し、行先階登録装置２０に送信する。行先階登録装置２０は、最も早く返信してきたエレベータバンク１２が選定した割当乗りかごを、エレベータシステム１００において最終決定された最適な割当乗りかごとしてもよい。
【００６２】
この場合、各エレベータバンク１２Ａ〜１２Ｄ間での評価値の実施的な比較が省略されるので、処理負荷の軽減と処理時間の短縮に寄与することができる。
【００６３】
なお、上述した実施形態では、各エレベータバンク１２には複数台のエレベータ１４が含まれる場合を示したが、別の実施形態では、各エレベータバンク１２は、エレベータ１４が１台の場合でもよく、上述した実施形態と同様に、効率的に利用者に割当乗りかごを提供するこができる効果を得ることができる。
【００６４】
以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６５】
１０，１００…エレベータシステム、１２，１２Ａ，１２Ｂ，１２Ｃ，１２Ｄ…エレベータバンク、１４…エレベータ、２０…行先階登録装置、２０ａ…入力装置、２０ｂ…表示装置、２２…共通停止階、２４，２４Ａ，２４Ｂ…制御装置、２６，２６Ａ，２６Ｂ…群管理制御装置、３４…制御部（表示制御部）、３６…記憶部、３８…自他バンク判定部、４０…評価値計算部、４０ａ…割当評価部、４０ｂ…相対評価算出部、４２…自他バンク情報送受信部（評価値取得部）、４４…割当乗りかご選定部、４６…テーブル情報、４８…相対評価表、５０…ゲート、５２…バンク割当制御部。
【図１】
2019142651.tif 000003
【図２】
2019142651.tif 000004
【図３】
2019142651.tif 000005
【図４】
2019142651.tif 000006
【図５】
2019142651.tif 000007
【図６】
2019142651.tif 000008
【図７】
2019142651.tif 000009
【図８Ａ】
2019142651.tif 000010
【図８Ｂ】
2019142651.tif 000011
【図８Ｃ】
2019142651.tif 000012
【図９】
2019142651.tif 000013
【手続補正書】
【提出日】平成31年2月27日(2019.2.27)
【手続補正１】
【補正対象書類名】特許請求の範囲
【補正対象項目名】全文
【補正方法】変更
【補正の内容】
【特許請求の範囲】
【請求項１】
一部の共通停止階を除き異なる階床に停止可能な乗りかごを含む複数のエレベータバンクで構成されるエレベータシステムであって、前記複数のエレベータバンクの少なくともいずれか一つは、前記乗りかごを呼ぶとともに行先階の登録が可能な行先階登録装置と、
前記行先階登録装置で登録された前記行先階が前記共通停止階の場合に、前記共通停止階の登録が行われた前記行先階登録装置に対応する前記エレベータバンクである自バンクに含まれる前記乗りかごを利用する場合の利用適否を評価する自バンク評価値を算出する評価値計算部と、前記共通停止階が登録された場合に、前記自バンク以外の前記エレベータバンクである他バンクに含まれる前記乗りかごを利用する場合の利用適否を評価する他バンク評価値を取得する評価値取得部と、前記自バンク評価値と前記共通停止階が登録されてから所定期間内に前記評価値取得部が取得した前記他バンク評価値とに基づき、前記複数のエレベータバンクに含まれる乗りかごの中から割当乗りかごを選定可能な割当乗りかご選定部と、選定された前記割当乗りかごが含まれる前記エレベータバンクの案内情報を前記行先階の登録が行われた前記エレベータバンクの表示装置に表示させる表示制御部と、を含むエレベータシステム。
【請求項２】
前記評価値計算部は、前記自バンクの前記乗りかごの運行状態に基づく第一評価値と、登録が行われた前記行先階登録装置と前記自バンクで利用する前記乗りかごが到着するかご乗り口までの距離に基づく第二評価値と、を算出し、前記評価値取得部は、前記他バンクの前記乗りかごの運行状態に基づく前記第一評価値と、登録を行った行先階登録装置と前記他バンクで利用する前記乗りかごが到着するかご乗り口までの距離に基づく前記第二評価値と、取得する、請求項１に記載のエレベータシステム。
【請求項３】
前記割当乗りかご選定部は、算出した前記自バンク評価値と取得した前記他バンク評価値とが同値の場合、前記エレベータバンク毎に設定された優先順値に従い前記割当乗りかごを選定する請求項１または請求項２に記載のエレベータシステム。
【請求項４】
前記割当乗りかご選定部は、算出した前記自バンク評価値と取得した前記他バンク評価値とが同値の場合であって、前記第一評価値と前記第二評価値とが異なる場合、前記第一評価値と前記第二評価値に設定された優先順値に従い前記割当乗りかごを選定する請求項２に記載のエレベータシステム。
【請求項５】
一部の共通停止階を除き異なる階床に停止可能な乗りかごを含む複数のエレベータバンクで構成されるエレベータシステムの運用方法であって、
前記乗りかごを呼ぶとともに行先階の登録を行先階登録装置で行う行先階登録ステップと、
前記登録された前記行先階が前記共通停止階の場合に、前記共通停止階の登録が行われた前記行先階登録装置に対応する前記エレベータバンクである自バンクに含まれる前記乗りかごを利用する場合の利用適否を評価する自バンク評価値を算出する算出ステップと、
前記共通停止階が登録された場合に、前記自バンク以外の前記エレベータバンクである他バンクに含まれる前記乗りかごを利用する場合の利用適否を評価する他バンク評価値を取得する取得ステップと、
前記自バンク評価値と前記共通停止階が登録されてから所定期間内に前記取得ステップで取得した前記他バンク評価値とに基づき、前記複数のエレベータバンクに含まれる乗りかごの中から割当乗りかごを選定可能な割当乗りかご選定ステップと、
選定された前記割当乗りかごが含まれる前記エレベータバンクの案内情報を前記行先階の登録が行われた前記エレベータバンクの表示装置に表示させる表示ステップと、
を含むエレベータシステムの運用方法。
【手続補正２】
【補正対象書類名】明細書
【補正対象項目名】０００５
【補正方法】変更
【補正の内容】
【０００５】
実施形態のエレベータシステムは、一部の共通停止階を除き異なる階床に停止可能な乗りかごを含む複数のエレベータバンクで構成される。複数のエレベータバンクの少なくともいずれか一つは、行先階登録装置と、評価値計算部と、割当乗りかご選定部と、表示制御部とを含む。行先階登録装置は、乗りかごを呼ぶとともに行先階の登録が可能である。評価値計算部は、行先階登録装置で登録された行先階が共通停止階の場合に、共通停止階の登録が行われた行先階登録装置に対応するエレベータバンクである自バンクに含まれる乗りかごを利用する場合の利用適否を評価する自バンク評価値を算出する。評価値取得部は、共通停止階が登録された場合に、自バンク以外のエレベータバンクである他バンクに含まれる乗りかごを利用する場合の利用適否を評価する他バンク評価値を取得する。割当乗りかご選定部は、自バンク評価値と共通停止階が登録されてから所定期間内に評価値取得部が取得した他バンク評価値とに基づき、複数のエレベータバンクに含まれる乗りかごの中から割当乗りかごを選定可能である。表示制御部は、選定された割当乗りかごが含まれるエレベータバンクの案内情報を行先階の登録が行われたエレベータバンクの表示装置に表示させる。